(57)【要約】      （修正有）【課題】着用者が日常的に好んで身につけることができる衣類に衝撃吸収パッドを取り付け、衝撃吸収パッドを自然かつ容易に適切な位置に密着させる衝撃吸収パッド入り衣類を提供する。【解決手段】大腿骨近位部への衝撃を緩和する衝撃吸収パッド２を収納するポケットまたは袋状部分３を内側にもつ腰回りにフィットする伸縮性のあるズボンやスカート１、あるいは衝撃吸収パッドを収納するポケットまたは袋状部分３をもつ伸縮性のある布を内側に取り付けたズボンやスカート１であって、着衣状態において衝撃吸収パッド２を体表面に密着させる。【選択図】図２
0003208287.tif 000002
【実用新案登録請求の範囲】
【請求項１】
大腿骨近位部への衝撃を緩和する衝撃吸収パッドを収納するポケットまたは袋状部分を内側にもつ腰回りにフィットする伸縮性のあるズボンやスカート、あるいは前記衝撃吸収パッドを収納するポケットまたは袋状部分をもつ伸縮性のある布を内側に取り付けたズボンやスカートであって、着衣状態において前記衝撃吸収パッドを体表面に密着させることを特徴とする衝撃吸収パッド入り衣類。
【請求項２】
前記衝撃吸収パッドを収納するポケットまたは袋状部分をもつズボンやスカート内側に取り付けた伸縮性素材からなる布が、少なくとも衣類の着脱時に開閉するチャックやボタンの周辺では開いた帯状になっており、装着時にチャックあるいはボタンをしめることにより衝撃吸収パッドを密着状態にすることを特徴とする衝撃吸収パッド入り衣類。
【請求項３】
前記衝撃吸収パッドを収納するポケットまたは袋状部分をもつズボンやスカート内側に取り付けた伸縮性素材からなる布が、下着形状ではなく股部を持たない帯状となっていることを特徴とする衝撃吸収パッド入り衣類。
【考案の詳細な説明】
【技術分野】
【０００１】
本考案は、衝撃吸収パッドを収納したズボンやスカートなどの衣類に関する。
【背景技術】
【０００２】
高齢者や骨粗鬆症患者は転倒時に大腿骨近位部骨折のリスクが高く、そのリスクを低減するためにヒッププロテクターの使用が推奨されている。ヒッププロテクターは衝撃吸収パッドを下着に取り付けたもの（特許文献１および２）、紙おむつの外側に面ファスナーで取り付けるもの（特許文献３）、サポーター型のもの（特許文献４）、巻きスカート型のもの（特許文献５）などが開示されている。
【０００３】
衝撃吸収材は折れやすい大腿骨近位部に密着するように取り付けるのが望ましく、特許文献１および２に示される下着型のヒッププロテクターは下着との機能両立においてこれを実現している。また、特許文献１に示されるように装着時の違和感を小さくするために薄くても衝撃吸収能力の高いパッドが開発されている。
【０００４】
骨折リスクの高い介護状態にある高齢者には紙おむつを着用している人もおり、その場合にはオムツの上に下着タイプを装着するのは着脱の点で難がある。そのため、特許文献３では紙おむつの外側に衝撃吸収パッドを取り付けることでこの問題を解決している。
【０００５】
如何に優れた衝撃吸収パッドでも装着の手間があると本人にとっても介助者にとっても煩わしいものとなる。そこでさらに装着のし易さを目的として、下着や衣類の上から装着出来る方法として、特許文献４のサポーター型や特許文献５の巻きスカート型のものが提案されている。
【先行技術文献】
【特許文献】
【０００６】
【特許文献１】特開２００８―２６６８６７号公報
【特許文献２】特開２０１２―１２２１６１号公報
【特許文献３】実用新案登録第３１６０６４０号報
【特許文献４】特開２００８―０９９７６６号公報
【特許文献５】特開２００７―２７０３８１号公報
【考案の概要】
【考案が解決しようとする課題】
【０００７】
衝撃吸収パッドを適切に取り付けて安全性を高めながら、装着率を高めることが課題である。先行技術ではそれぞれに装着率，普及率を高める工夫をしているが、必ずしも安全性と装着容易性が十分に両立出来ていない。例えば、特許文献５の巻きスカートでは着易さの点で優れているが衝撃吸収パッドの密着性が失われている。
【０００８】
また、現状はやむを得ず装着する装具となっており、着用者本人にとって好んで着用する装具とはなっていない。現状の装着者は本人の意思ではなく、外部からの勧めにより受け入れている状況である。本来は脆くなる前から装着し安心感をもって歩く習慣を維持することが望ましいが、高齢者本人にとってこれらの装具は受け入れにくい、あるいは未だ必要ないと判断され易い事実がある。このため、本人の意思で選考される衝撃吸収パッドの着用方法が望まれる。
【０００９】
そこで本考案は、着用者が日常的に好んで身につけることが可能なズボンまたはスカートなどの衣類に衝撃吸収パッドを取り付け、同ズボンやスカートの装着動作によって内蔵された衝撃吸収パッドを自然かつ容易に適切な位置の皮膚に密着させる手段を提供するものである。
【課題を解決するための手段】
【００１０】
本考案は、好んで装着できる様々なズボンやスカートの内部に、衝撃吸収パッドを収納するポケットまたは袋状部分を有する、あるいは衝撃吸収パッドを収納するまたは袋状部分をもつ伸縮性の布を備えることを最も主要な特徴とする。ここで、ポケットとは開口部をもち衝撃吸収パッドを出し入れ可能な収納部を意味し、袋状部分とは開口部を持たない衝撃パッド収納部を意味する。
【００１１】
衝撃吸収パッドは大腿骨近位部を守るために腰側面に皮膚になるべく密着する状態に取り付けられなければならない。
【００１２】
衝撃吸収パッドを密着させる手段として、装着時には腰回りにフィットさせる必要があるが、ズボンやスカートの素材と形状によりそれ自体が伸縮性をもち腰回りにフィットさせる性質をもっている場合には、内側に衝撃吸収パッドを収納するポケットまたは袋状部分を備えることでこの目的が達せられる。
【００１３】
ズボンやスカートがゆとりのあるデザインとなっており、腰回りにそれ単独ではフィットさせることが出来ない場合、内部にパッドを収納した伸縮性のある布を設け、その布の伸縮性によってパッドを密着させる。
【００１４】
前記パッドを収納した伸縮性のある布の形状は、下着に近いものでも衝撃吸収パッドを密着させることはできるが、より違和感の少ない方法として、ズボンやスカートの着脱時に用いるチャックやボタンの近傍では前記の前記パッドを収納した伸縮性のある布を開いた状態とし、装着時に前記チャックやボタンをしめることで衝撃吸収パッドの密着状態を作れるようにする。
【００１５】
さらに、前記パッドを収納した伸縮性のある布の形状として股部をもたない帯状とすることにより、蒸れにくく、重ね着の着用感を減らし快適にすることができる。
【考案の効果】
【００１６】
請求項１に掛かる考案によれば、大腿骨近位部への衝撃を緩和する衝撃吸収パッドを収納するポケットまたは袋状部分を内側にもつ腰回りにフィットする伸縮性のあるズボンやスカート、あるいは前記衝撃吸収パッドを収納する袋状部分をもつ伸縮性のある布を内側に取り付けたズボンやスカートとすることによって、それらの着衣状態において前記衝撃吸収パッドを体表面に密着させることができるようになる。これにより、着用者は新たに衝撃吸収パッド専用下着やサポーターを着用することなく、好みの服をきることによりそのまま衝撃吸収パッド着用状態となることができる。
【００１７】
請求項２にかかる考案によれば、前記衝撃吸収パッドを収納する袋状部分をもつズボンやスカート内側に取り付けた伸縮性素材からなる布が、少なくとも衣類の着脱時に開閉するチャックやボタンの周辺では開いた帯状になっており、装着時にチャックあるいはボタンをしめることにより衝撃吸収パッドを密着状態にすることを特徴とし、これにより、衣類の着脱と衝撃吸収パッドの着脱が一致し、着用者は衝撃吸収パッドの着脱の煩わしさから解放される。
【００１８】
請求項３にかかる考案によれば、前記衝撃吸収パッドを収納する袋状部分をもつズボンやスカート内側に取り付けた伸縮性素材からなる布が、下着形状ではなく股部を持たない帯状となっていることを特徴とし、これにより、着用状態の蒸れや重ね着によるかさばり感から解放され、より自然な衣類として着用できるようになる。
【図面の簡単な説明】
【００１９】
【図１】本考案の衝撃吸収パッド入り衣類（ズボン）を示す正面図（a）、および実施形態１、２、３にそれぞれ対応する透視図(b),(c),(d)である。
【図２】本考案の衝撃吸収パッド入り衣類（ズボン）を示す側面図a）、および実施形態１、２、３にそれぞれ対応する透視図(b),(c),(d)である。
【図３】本考案の衝撃吸収パッド入り衣類（ズボン）を示す背面図a）、および実施形態１、２、３にそれぞれ対応する透視図(b),(c),(d)である。
【図４】本考案の衝撃吸収パッド入り衣類（スカート）を示す正面図（a）、および実施形態３に対応する透視図(b)である。
【図５】大腿骨近位部と衝撃吸収パッドの位置関係を示す図である。
【考案を実施するための形態】
【００２０】
以下、図面を参照して説明する。
【００２１】
図１から図4の各(a)に示すように、本考案の衝撃吸収パッド入りズボンAは外観は任意のズボンやスカートなど様々な衣類の形状を取りうる。
【００２２】
そしてズボンを例にとれば、正面図である図１の透視図(b)~(d)に示されるように、腰の両側部に衝撃吸収パッド２をズボン1の内側にポケットまたは袋状部分３によって取り付ける。ゆとりのあるズボンでは前記の衝撃吸収パッド２を収めるポケットまたは袋状部分を伸縮性のある布に取り付け、同布をズボン２の内側に縫い付ける。
【００２３】
このとき、図５に示されるように衝撃吸収パッドは大腿骨近位部５の外側にあたる腰側面になるべく密着することが望ましい。これは最小の大きさの違和感の少ない衝撃吸収パッドで効果的に転倒時の衝撃吸収を行うために需要である。衝撃吸収パッドの中心付近が大腿骨近位部の最も骨が張り出した部分になるように取り付ける。
【００２４】
実施形態１として、ズボン自体に伸縮性があるなどの理由により、衝撃吸収パッドを腰回りにフィットさせる性質がある場合を説明する。この場合、図1（正面図）、図２（側面図）、図3（背面図）の各(b)に示されるように、ズボンの内側にポケットを設ける。
【００２５】
実施形態２として、腰回りにゆとりのあるデザインのズボンの場合であって、伸縮性のある下着様の布によって衝撃吸収パッドを腰側部にフィットさせる方法を説明する。この場合、図1（正面図）、図２（側面図）、図3（背面図）の各(c)に示されるように、ズボン１の内側に衝撃吸収パッド2を収めた袋状部分3を取り付けた下着に似た形状の布４を縫い付ける。このとき、布の前方は開いており、ズボンのチャックを開く時に同時にチャック回りの布も同時に開き、ズボンのチャックをしめることで衝撃吸収パッドの密着性を発揮するようにしておく。
【００２６】
実施形態３として、腰回りにゆとりのあるデザインのズボンの場合であって、伸縮性のある生地で形成される布が下着形状ではなく股部を持たない帯状構造を用いる方法を説明する。この場合、図1（正面図）、図２（側面図）、図3（背面図）の各(d)に示されるように、ズボン１の内側に衝撃吸収パッド2を収めたポケット3を取り付けた帯状の布４を縫い付ける。このとき、布の前方は開いており、ズボンのチャックを開く時に同時にチャック回りの布も同時に開き、ズボンのチャックをしめることで衝撃吸収パッドの密着性を発揮するようにする。
【００２７】
次にスカートなどズボン以外の形状の衣類の場合について説明する。スカートの場合も同様であり、腰回りのフィット性に応じてズボンの実施形態１、２、３に対応する衝撃吸収パッドの取り付けを行う。図４にはズボンの実施例３にあたる股部がない帯状の布の場合を示している。
【００２８】
以下に、本発明に係る起立補助座面の構成部品について、詳細に説明する。
【００２９】
各図で１と指定されるズボンやスカートは任意の形状や素材（綿、麻、ウール、合成繊維、皮革など）であってよい。
【００３０】
衝撃吸収パッド２は大腿骨近位部骨折リスクを低減可能な衝撃吸収能力のある様々な素材から選択できる。例として、イソブチレン系熱可塑性エラストマー、スチレン系エラストマー、ポリウレタン、エアクッションなどがある。衣類としての快適性を損なわないためには、衝撃吸収能力を保ちながら軽さ、通気性、薄さの点で衝撃吸収パッドの着用感が少ない素材と形状を選定することが好ましい。
【００３１】
衝撃吸収パッド２の大きさは、幅８から１２cm程度、長さ１２cmから１８cm程度が違和感を感じにくい。必要な厚さは用いる素材によって異なるが、既存の材料では特許文献１に示される素材で６mm程度が最も薄く、ポリウレタンやエアクッションでは２cm程度の厚みがあることが好ましい。形状はドーム型、穴の開いた円盤状、馬蹄形、ハニカム型など様々なものを用いることができるが、本考案の目的である衣類の内側に取り付け目立たないようにするためには、薄い素材を用いるか、体のラインにいびつな凹凸を作らないように外形の曲面を工夫することが望ましい。
【００３２】
衝撃吸収パッド２がポリウレタンなど水を含み易くかさばるものについては、選択時に取り出せるようにポケットに収めるのがよい。あるいは複数の衣類で衝撃吸収パッドを流用する場合にはポケットが好ましい。衣類と共に洗濯可能な素材ではポケットでなく袋状部分に収納させることで衝撃吸収パッドの位置ずれや紛失を防ぐことができる。衝撃パッドの収納部がポケットであるか、袋状部分であるかは、パッドの密着性を保持する限りにおいて自由度がある。
【００３３】
ポケットまたは袋状部分、およびそれを保持する布は密着性を確保する伸縮性を保持しつつ、通気性があることが望ましい。様々素材が使用可能であるが、考案者らの検討によれば、下着に似た綿を含む素材が蒸れにくく快適性が高いことが示された。
【００３４】
以上、本考案の実施の形態を詳細に説明したが、請求の範囲から逸脱することなく改造、変形及び変更を行うことができることは理解すべきである。
【符号の説明】
【００３５】
Ａ  衝撃吸収パッド入り衣類本体
１  ズボン類またはスカート類
２  衝撃吸収パッド
３  ポケットまたは袋状部分
４  伸縮性のある布
５  大腿骨近位部
【図１】
0003208287.tif 000003
【図２】
0003208287.tif 000004
【図３】
0003208287.tif 000005
【図４】
0003208287.tif 000006
【図５】
0003208287.tif 000007
【手続補正書】
【提出日】平成28年10月28日(2016.10.28)
【手続補正１】
【補正対象書類名】実用新案登録請求の範囲
【補正対象項目名】全文
【補正方法】変更
【補正の内容】
【実用新案登録請求の範囲】
【請求項１】
大腿骨近位部への衝撃を緩和する衝撃吸収パッドを収納するポケットまたは袋状部分を内側にもつ腰回りにフィットする伸縮性のあるズボンやスカート、あるいは前記衝撃吸収パッドを収納するポケットまたは袋状部分をもつ伸縮性のある布を内側に取り付けたズボンやスカートであって、着衣状態において前記衝撃吸収パッドを体表面に密着させることを特徴とする衝撃吸収パッド入り衣類。
【請求項２】
衝撃吸収パッドを収納するポケットまたは袋状部分をもつズボンやスカート内側に取り付けた伸縮性素材からなる布が、少なくとも衣類の着脱時に開閉するチャックやボタンの周辺では開いた帯状になっており、装着時にチャックあるいはボタンをしめることにより衝撃吸収パッドを密着状態にすることを特徴とする請求項１に記載の衝撃吸収パッド入り衣類。
【請求項３】
衝撃吸収パッドを収納するポケットまたは袋状部分をもつズボンやスカート内側に取り付けた伸縮性素材からなる布が、下着形状ではなく股部を持たない帯状となっていることを特徴とする請求項１および２に記載の衝撃吸収パッド入り衣類。